(57)【要約】  アクセス技術ネットワーク間のインターワーキング方法及び装置であって、第１アクセス技術ネットワークと第２アクセス技術ネットワークとのインターワーキング決定エンティティにより、端末節電優先原則を採るかどうかを判断し、且つ端末節電優先原則を採ると判定する場合に、プリセットされたトリガーイベントが発生する時だけに、前記第１アクセス技術ネットワークと前記第２アクセス技術ネットワークとのインターワーキング過程をトリガーする。【選択図】図４
2016521511.tif 000002
【特許請求の範囲】
【請求項１】
アクセス技術ネットワーク間のインターワーキング方法であって、
第１アクセス技術ネットワークと第２アクセス技術ネットワークとのインターワーキング決定エンティティが端末節電優先原則を採ることを判断することと、
ユーザ装置（ＵＥ）の現在実行しているサービスのサービス品質（ＱｏＳ）を満たすことができないイベント、
前記ＵＥの現在アクセスしている第１アクセス技術ネットワークの負荷が第１予定閾値を超えるイベント、
前記ＵＥの現在アクセスしている第２アクセス技術ネットワークの負荷が第２予定閾値を超えるイベント、
前記ＵＥの現在アクセスしている第１アクセス技術ネットワーク又はアクセスしている第２アクセス技術ネットワークに過負荷が発生したイベント、
前記ＵＥの現在アクセスしている第１アクセス技術ネットワークの無線通信リンク品質が第３予定閾値より低いイベント、
前記ＵＥの現在アクセスしている第２アクセス技術ネットワークの無線通信リンク品質が第４予定閾値より低いイベント、及び
前記ＵＥが前記ＵＥの現在アクセスしている第１アクセス技術ネットワーク又はアクセスしている第２アクセス技術ネットワークとの接続を失うイベント、の中のいずれかの１つ又は任意の複数のイベントが発生する際に、前記第１アクセス技術ネットワークと前記第２アクセス技術ネットワークとのインターワーキング過程をトリガーすることと、を含むアクセス技術ネットワーク間のインターワーキング方法。
【請求項２】
前記第１アクセス技術ネットワークは、第３世代パートナープログラム（３ＧＰＰ）アクセスネットワークであり、前記第２アクセス技術ネットワークは、無線ＬＡＮ（ＷＬＡＮ）である請求項１に記載のアクセス技術ネットワーク間のインターワーキング方法。
【請求項３】
前記ＵＥの現在実行しているサービスのサービス品質（ＱｏＳ）を満たすことができないことは、
前記ＵＥの現在実行しているサービスのＱｏＳを持続的に満たすことができない時間が第１予定時間を超えることを含む請求項１に記載のアクセス技術ネットワーク間のインターワーキング方法。
【請求項４】
前記ＵＥの現在アクセスしている第１アクセス技術ネットワークの負荷が第１予定閾値を超えることは、
前記ＵＥの現在アクセスしている第１アクセス技術ネットワークの負荷の持続的に前記第１予定閾値を超える時間が第２予定時間に達することを含む請求項１に記載のアクセス技術ネットワーク間のインターワーキング方法。
【請求項５】
前記ＵＥの現在アクセスしている第２アクセス技術ネットワークの負荷が第２予定閾値を超えることは、
前記ＵＥの現在アクセスしている第２アクセス技術ネットワークの負荷の持続的に前記第２予定閾値を超える時間が第３予定時間に達することを含む請求項１に記載のアクセス技術ネットワーク間のインターワーキング方法。
【請求項６】
前記ＵＥの現在アクセスしている第１アクセス技術ネットワークの無線通信リンク品質が第３予定閾値より低いことは、
前記ＵＥの現在アクセスしている第１アクセス技術ネットワークの無線通信リンク品質の持続的に前記第３予定閾値より低い時間が第４予定時間に達することを含む請求項１に記載のアクセス技術ネットワーク間のインターワーキング方法。
【請求項７】
前記ＵＥの現在アクセスしている第２アクセス技術ネットワークの無線通信リンク品質が第４予定閾値より低いことは、
前記ＵＥの現在アクセスしている第２アクセス技術ネットワークの無線通信リンク品質の持続的に前記第４予定閾値より低い時間が第５予定時間に達することを含む請求項１に記載のアクセス技術ネットワーク間のインターワーキング方法。
【請求項８】
前記第１アクセス技術ネットワークと第２アクセス技術ネットワークとのインターワーキング決定エンティティが端末節電優先原則を採ることを判断することは、
前記ＵＥが電力消費好み指示（ＰＰＩ）をトリガーし且つ前記ＰＰＩが節電傾向がある際に、前記第１アクセス技術ネットワークと第２アクセス技術ネットワークとのインターワーキング決定エンティティが前記ＰＰＩを取得することと、
前記第１アクセス技術ネットワークと第２アクセス技術ネットワークとのインターワーキング決定エンティティが前記ＰＰＩに基づき端末節電優先原則を採る必要があると判断することと、を含む請求項１に記載のアクセス技術ネットワーク間のインターワーキング方法。
【請求項９】
前記第１アクセス技術ネットワークと第２アクセス技術ネットワークとのインターワーキング決定エンティティが前記ＰＰＩを取得することは、
前記第１アクセス技術ネットワークと第２アクセス技術ネットワークとのインターワーキング決定エンティティが第１アクセス技術ネットワークノードにある際に、前記ＵＥにより前記ＰＰＩを前記第１アクセス技術ネットワークノードにおける前記第１アクセス技術ネットワークと第２アクセス技術ネットワークとのインターワーキング決定エンティティに送信することを含む請求項８に記載のアクセス技術ネットワーク間のインターワーキング方法。
【請求項１０】
前記第１アクセス技術ネットワークと第２アクセス技術ネットワークとのインターワーキング決定エンティティが前記ＰＰＩを取得することは、
前記第１アクセス技術ネットワークと第２アクセス技術ネットワークとのインターワーキング決定エンティティがＵＥにある際に、前記ＵＥが自分で前記ＰＰＩを前記ＵＥにおける前記第１アクセス技術ネットワークと第２アクセス技術ネットワークとのインターワーキング決定エンティティに送信することを含む請求項８に記載のアクセス技術ネットワーク間のインターワーキング方法。
【請求項１１】
前記第１アクセス技術ネットワークと第２アクセス技術ネットワークとのインターワーキング決定エンティティが端末節電優先原則を採ることを判断することは、
前記ＵＥが節電優先属性を有する際に、前記第１アクセス技術ネットワークと第２アクセス技術ネットワークとのインターワーキング決定エンティティが前記ＵＥの節電優先属性を取得することと、
前記第１アクセス技術ネットワークと第２アクセス技術ネットワークとのインターワーキング決定エンティティが前記ＵＥの節電優先属性に基づき、端末節電優先原則を採る必要があると判断することと、を含む請求項１に記載のアクセス技術ネットワーク間のインターワーキング方法。
【請求項１２】
前記第１アクセス技術ネットワークと第２アクセス技術ネットワークとのインターワーキング決定エンティティが前記ＵＥの節電優先属性を取得することは、
前記第１アクセス技術ネットワークと第２アクセス技術ネットワークとのインターワーキング決定エンティティが第１アクセス技術ネットワークノードにある際に、前記ＵＥが前記節電優先属性を前記第１アクセス技術ネットワークノードにおける前記第１アクセス技術ネットワークと第２アクセス技術ネットワークとのインターワーキング決定エンティティに送信することを含む請求項１１に記載のアクセス技術ネットワーク間のインターワーキング方法。
【請求項１３】
前記節電優先属性は前記ＵＥの登録情報又は前記ＵＥのコンテキストに含まれ、前記第１アクセス技術ネットワークと第２アクセス技術ネットワークとのインターワーキング決定エンティティは前記ＵＥと前記第１アクセス技術ネットワークの接続過程によって前記節電優先属性を取得する請求項１２に記載のアクセス技術ネットワーク間のインターワーキング方法。
【請求項１４】
前記第１アクセス技術ネットワークと第２アクセス技術ネットワークとのインターワーキング決定エンティティが前記ＵＥの節電優先属性を取得することは、
前記第１アクセス技術ネットワークと第２アクセス技術ネットワークとのインターワーキング決定エンティティが前記ＵＥにある際に、前記ＵＥが自分で前記節電優先属性を前記ＵＥにおける前記第１アクセス技術ネットワークと第２アクセス技術ネットワークとのインターワーキング決定エンティティに送信することを含む請求項１１に記載のアクセス技術ネットワーク間のインターワーキング方法。
【請求項１５】
第１アクセス技術ネットワークと第２アクセス技術ネットワークとのインターワーキング規則制定エンティティ又は前記第１アクセス技術ネットワークと第２アクセス技術ネットワークとのインターワーキング決定エンティティがインターワーキング過程におけるパラメータを設定し、前記パラメータが第１予定時間、第２予定時間、第３予定時間、第４予定時間、第５予定時間、第１予定閾値、第２予定閾値、第３予定閾値、及び第４予定閾値を含むことを更に含む請求項１に記載のアクセス技術ネットワーク間のインターワーキング方法。
【請求項１６】
前記第１アクセス技術ネットワークと第２アクセス技術ネットワークとのインターワーキング規則制定エンティティ又は前記第１アクセス技術ネットワークと第２アクセス技術ネットワークとのインターワーキング決定エンティティが前記第１アクセス技術ネットワークにある際に、前記パラメータが前記第１アクセス技術ネットワークにより前記ＵＥに送信されることを更に含む請求項１５に記載のアクセス技術ネットワーク間のインターワーキング方法。
【請求項１７】
アクセス技術ネットワーク間のインターワーキング装置であって、
端末節電優先原則を採ることを判断するように設定される判断モジュール、
ユーザ装置（ＵＥ）の現在実行しているサービスのサービス品質（ＱｏＳ）を満たすことができないイベント、
前記ＵＥの現在アクセスしている第１アクセス技術ネットワークの負荷が第１予定閾値を超えるイベント、
前記ＵＥの現在アクセスしている第２アクセス技術ネットワークの負荷が第２予定閾値を超えるイベント、
前記ＵＥの現在アクセスしている第１アクセス技術ネットワーク又はアクセスしている第２アクセス技術ネットワークに過負荷が発生したイベント、
前記ＵＥの現在アクセスしている第１アクセス技術ネットワークの無線通信リンク品質が第３予定閾値より低いイベント、
前記ＵＥの現在アクセスしている第２アクセス技術ネットワークの無線通信リンク品質が第４予定閾値より低いイベント、及び
前記ＵＥが前記ＵＥの現在アクセスしている第１アクセス技術ネットワーク又はアクセスしている第２アクセス技術ネットワークと接続を失うイベント、の中のいずれかの１つ又は任意の複数のイベントが発生する際だけに、前記第１アクセス技術ネットワークと前記第２アクセス技術ネットワークとのインターワーキング過程をトリガーするように設定されるトリガーモジュールを含むアクセス技術ネットワーク間のインターワーキング装置。
【請求項１８】
前記第１アクセス技術ネットワークは第３世代パートナープログラム（３ＧＰＰ）アクセスネットワークであり、前記第２アクセス技術ネットワークは無線ＬＡＮ（ＷＬＡＮ）である請求項１７に記載のアクセス技術ネットワーク間のインターワーキング装置。
【請求項１９】
前記判断モジュールは、
前記ＵＥが電力消費好み指示（ＰＰＩ）をトリガーし且つ前記ＰＰＩが節電傾向がある際に、前記ＰＰＩを取得するように設定される第１情報取得ユニット、
前記ＰＰＩに基づき端末節電優先原則を採る必要があると判断するように設定される第１判断ユニット、を含む請求項１７に記載のアクセス技術ネットワーク間のインターワーキング装置。
【請求項２０】
前記判断モジュールは、
前記ＵＥが節電優先属性を有する際に、前記ＵＥの節電優先属性を取得するように設定される第１「第１情報取得ユニット」が、請求項１９と重複、「第２情報取得ユニット」？情報取得ユニット、
前記ＵＥの節電優先属性に基づき、端末節電優先原則を採る必要があると判断するように設定される第２判断ユニット、を更に含む請求項１９に記載のアクセス技術ネットワーク間のインターワーキング装置。
【請求項２１】
インターワーキング過程におけるパラメータを設定し、前記パラメータが第１予定時間、第２予定時間、第３予定時間、第４予定時間、第５予定時間、第１予定閾値、第２予定閾値、第３予定閾値、及び第４予定閾値を含むように設定される設定モジュールを更に含む請求項２０に記載のアクセス技術ネットワーク間のインターワーキング装置。
【請求項２２】
前記インターワーキング過程におけるパラメータを前記ＵＥに送信するように設定される設定情報送信モジュールを更に含む請求項２１に記載のアクセス技術ネットワーク間のインターワーキング装置。
【発明の詳細な説明】
【技術分野】
【０００１】
本発明は無線通信分野に関し、特に第３世代パートナープログラム（３ＧＰＰ）アクセスネットワーク及び無線ＬＡＮ（ＷＬＡＮ）のインターワーキング方法及び装置に関する。
【背景技術】
【０００２】
無線通信技術と標準の絶え間ない進化に従って、モバイルパケットサービスは大幅な発展を遂げ、単一ユーザ装置のデータスループットも絶え間なくアップしている。ロングタームエボリューション（Long Term Evolution、ＬＴＥ）システムを例として、２０Ｍ帯域幅内にダウンリンク最高速度１００Mbpsのデータ伝送をサポートすることができ、後続の強化されたＬＴＥ（LTE Advanced）システムにおいては、データの伝送速度は向上し、ひいては１Gbpsに達することができる。
【０００３】
端末データトラフィックの増加拡大により、関連のネットワークリソースが次第に不足になり、特に新世代の通信技術（例えば、３Ｇ、ＬＴＥ）が広く普及されない場合に、ユーザの速度とトラフィックに対する要求を満たすことができず、ユーザ体験（ユーザーエクスペリエンス）が悪くなる。どのようにこの状況を予防及び改善するかはオペレータ（通信事業者）が考えなければならない問題であり、新たな技術の普及とネットワークの配備をスピードアップする必要があり、一方、関連のネットワーク及び技術を強化することにより、ネットワーク性能を急速に向上させる目的を達成することを望むことができる。公知のように、第３世代パートナープログラム（The 3rd Generation Partnership Project、３ＧＰＰ）で提供された無線ネットワーク技術以外、現在、既に広く応用された無線ＬＡＮ（Wireless Local Area Network、ＷＬＡＮ）、特に電気電子技術者協会（Institute of Electrical and Electronics Engineers、ＩＥＥＥ）８０２.１１標準に基づく無線ＬＡＮは、既に家庭、企業ひいてはインターネットでホットスポットのアクセスカバーに広く応用されている。中でも、無線フィディリティーＷｉＦｉアライアンス（Wi-Fi Alliance）から提出された技術規格は最も広く使用され、このため、実際に、ＷｉＦｉネットワークは、多くの場合でＩＥＥＥ ８０２.１１標準に基づくＷＬＡＮネットワークと等しく、混乱を引き起こさない場合に、ポストアンブルにもＷｉＦｉモジュールを採用してネットワークノードにおいてＷＬＡＮをサポートする無線送受信及び処理モジュールを記述する。
【０００４】
そのような前提の下で、一部のオペレータと会社は、既にＷＬＡＮと関連の３ＧＰＰネットワークとを組み合わせることを提案し、共同の伝送を実現し、負荷分流及びネットワーク性能を向上させる目的を達成する。現在、３ＧＰＰは３ＧＰＰネットワークとＷＬＡＮとのインターワーキング（Interworking）の関連のプロトコルを既に確立したが、現在のInterworkingアーキテクチャにはまだいくつかの欠点が存在し、例えば、端末ユーザ装置（User Equipment、ＵＥ）は３ＧＰＰネットワークとＷＬＡＮネットワークの間で移動する際にデータフローの切り換えが遅く、また、このような場合、２つのネットワークのデータフローはいずれも３ＧＰＰコアネットワークのネットワーク構成要素を通過する必要があり、負荷が大きい。また、更に重要なのは、現在このようなアーキテクチャは、まだオペレータが独立な３ＧＰＰネットワークと独立で完全なＷＬＡＮネットワークとを持っていることに依存し、これにより、オペレータは同時に複数のネットワークを運営及び維持する必要があり、資本的支出（Capital Expenditure、ＣＡＰＥＸ）が大きい。このため、ＷＬＡＮと３ＧＰＰネットワークの融合需要が改めて提案され、新しいソリューションも徐々に提案及び検討されている。
【０００５】
３ＧＰＰ ＳＡ２は、アクセスネットワーク発見及び選択機能ユニット（Access Network Discovery Support Functions、ＡＮＤＳＦ）ソリューションを通過し、オペレータポリシーに基づいて端末のために目標アクセスネットワークを選択するモードを提供する。
【０００６】
３ＧＰＰ Ｒ１０は、ＡＮＤＳＦ標準を定義し、ＡＮＤＳＦをアクセスアンカーとしてインテリジェントネットワークの選択を実現し、ネットワークと端末との交互協同によって、ネットワークアクセスの有効分流を実現し、未来のマルチネットワークの協同運営方向に符合する。ＡＮＤＳＦは、ネットワーク負荷、端末能力、ユーザ契約状況などの情報に基づいてポリシーを制定し、端末ユーザが最適なアクセスのネットワーク規格を選択するのを助け、多種のアクセス方式の協同運営を実現する。ＡＮＤＳＦは単独に配置でき、その他のネットワーク構成要素と共同設定されることもできる。現在、業界はＡＮＤＳＦがＰＣＣデバイスに配置できるソリューションを主流の観点とする。
【０００７】
ＡＮＤＳＦはコアネットワークに基づくＷＬＡＮ interworkingソリューションであり、アクセスネットワークに対する影響を考えなく、なお、ＡＮＤＳＦは相対的に静的なソリューションであり、ネットワーク負荷とチャネル品質の動的な変更の状況によく適応できないため、３ＧＰＰアクセスネットワークグループでもＷＬＡＮ interworkingの検討を展開する。
【０００８】
最新の３ＧＰＰ ＲＡＮ２会議（RAN2#81bis）では３つの基本的な候補ＷＬＡＮ interworkingのアクセスネットワーク側ソリューションを通過させた。
【０００９】
ソリューション１、３ＧＰＰアクセスネットワーク側は、補助情報を提供し、端末は、前記補助情報及びアクセスネットワーク以外のネットワーク構成要素（例えば、ＡＮＤＳＦ）が提供した規則に基づき、如何にサービスをＷＬＡＮ又は３ＧＰＰアクセスネットワークに遷移するかを決定する。該ソリューションにおいて、３ＧＰＰアクセスネットワークとＷＬＡＮとのインターワーキング決定エンティティは、ＵＥにある。
【００１０】
ソリューション２、３ＧＰＰアクセスネットワーク側は、端末にアクセスネットワーク選択パラメータ（例えば、閾値、優先度、規則等）を提供し、端末は、これらのパラメータに基づいて如何にサービスをＷＬＡＮ又は３ＧＰＰアクセスネットワークに遷移するかを決定する。該ソリューションにおいて、３ＧＰＰアクセスネットワークとＷＬＡＮとのインターワーキング決定エンティティは、３ＧＰＰアクセスネットワークとＷＬＡＮとのインターワーキング規則制定エンティティ及び３ＧＰＰアクセスネットワークとＷＬＡＮとのインターワーキング過程トリガーエンティティに分けられる。３ＧＰＰアクセスネットワークとＷＬＡＮとのインターワーキング規則制定エンティティは、３ＧＰＰアクセスネットワーク側にあり、３ＧＰＰアクセスネットワークとＷＬＡＮとのインターワーキング過程トリガーエンティティは、ＵＥ側にある。３ＧＰＰアクセスネットワーク側は、３ＧＰＰアクセスネットワークとＷＬＡＮとのインターワーキング規則を制定することを担当し、ＵＥは、３ＧＰＰアクセスネットワーク側の規則に基づいていつ３ＧＰＰアクセスネットワークとＷＬＡＮとのインターワーキング過程をトリガーするかを決定し、次に、自分の実際のＷＬＡＮ測定結果及び３ＧＰＰアクセスネットワーク側の規則を結合して、目標アクセスネットワーク（３ＧＰＰネットワーク又はＷＬＡＮ）及び遷移しようとするサービスを決定する。
【００１１】
ソリューション３、無線リソース制御ＲＲＣ接続状態（ロングタームエボリューションＬＴＥシステム）又はＣＥＬＬ_ＤＣＨ状態（ユニバーサル移動通信システム、ＵＭＴＳ）にある端末に対して、３ＧＰＰアクセスネットワーク側は、端末が如何にサービスをＷＬＡＮ又は３ＧＰＰアクセスネットワークに遷移するかを決定し、且つ端末に通知する。ＲＲＣ ＩＤＬＥ（ＬＴＥシステム）又はＣＥＬＬ_ＰＣＨ又はＵＲＡ_ＰＣＨ（ＵＭＴＳシステム）状態にある端末に対して、ソリューション２の方式を採用する。該ソリューションにおいて、３ＧＰＰアクセスネットワークとＷＬＡＮとのインターワーキング決定エンティティは３ＧＰＰアクセスネットワーク側にあり、ＵＥ側に３ＧＰＰアクセスネットワークとＷＬＡＮとのインターワーキング過程トリガーエンティティを有する（ＵＥがＲＲＣ ＩＤＬＥ（ＬＴＥシステム）又はＣＥＬＬ_ＰＣＨ又はＵＲＡ_ＰＣＨ（ＵＭＴＳシステム）状態にある際だけに使用する）。
【００１２】
上記ソリューションは、ＷＬＡＮ interworkingの基本的な手順を定義したが、ＷＬＡＮ検索及びインターワーキングによる端末電力消耗の問題を検討していない。端末はＷＬＡＮネットワークを選択する時にＷＬＡＮ ＡＰの走査測定を実行する必要があり、且つサービスのＷＬＡＮへの遷移を決定する時にＷＬＡＮチャンネルを開く必要があるため、該行為の消費電力は大きく、且つ従来、３ＧＰＰネットワーク側は発見又は検索（WLAN discovery）と負荷遷移（offload）規則とを制定する際に、優先に配慮するのはユーザ感受（ユーザーエクスペリエンス）優先原則であり、端末の節電は、通常、優先に考える指標ではない。
【００１３】
例えば、オペレータがよく用いるＷＬＡＮ offload規則は、端末がＷＬＡＮカバレッジ範囲に入る際に、ネットワーク側が３ＧＰＰアクセスネットワークとＷＬＡＮとのインターワーキング過程をトリガーし、ＷＬＡＮを測定走査するようにＵＥに要求し、ＵＥのスループットを向上させて、３ＧＰＰネットワークの負荷を軽減するように、ＷＬＡＮを見つけてサービスを遷移できるかどうかを決定することである。このような規則は、ＵＥが最初にＷＬＡＮを発見して且つできるだけ速く一部又は全部のサービスをＷＬＡＮに転移することを確保し、ユーザーエクスペリエンスを向上させ３ＧＰＰネットワーク負荷を軽減する。しかし、このような規則はＵＥの節電に対して非常に不利であり、多くの場合に、ＵＥがＷＬＡＮカバレッジ範囲に入るのはＵＥが現在、伝送又は遷移する必要があるサービスがあることを表していないからであり、ＵＥはＷＬＡＮ検索を実行してひいてはＷＬＡＮと接続を確立するが、遷移する必要があるサービスがない場合は、その前のＷＬＡＮ検索の行為は浪費になり、ＵＥの電力消耗を余分に増加させてしまう。特に今後、ＷＬＡＮアクセスポイントが絶えず増加する場合に、上記規則はＵＥの電力消耗を更に増加させることになる。
【００１４】
３ＧＰＰ ＲＡＮ２で１つのソリューションを通過し、ＵＥが節電傾向である際に、ＵＥの電力消費好み指示（Power Preference Indication、ＰＰＩ）をトリガーすることができ、ＰＰＩをサービスネットワークのアクセスネットワークノードに送信し、アクセスネットワークノードはこれに基づいてＵＥの不連続受信（Discontinuous Reception、ＤＲＸ）メカニズムの設定パラメータを調整することができる。その他のメカニズムに対して、まったく節電処理がない。
【発明の概要】
【発明が解決しようとする課題】
【００１５】
本発明の実施例は、３ＧＰＰアクセスネットワークとＷＬＡＮとのインターワーキングの際のＵＥの電力消耗制御問題を解決するアクセス技術ネットワーク間のインターワーキング方法及び装置を提供する。
【課題を解決するための手段】
【００１６】
３ＧＰＰアクセスネットワークがＷＬＡＮとインターワーキングする方法であって、
第１アクセス技術ネットワークと第２アクセス技術ネットワークとのインターワーキング決定エンティティが端末節電優先原則を採ることを判断することと、
ＵＥの現在実行しているサービスのサービス品質（ＱｏＳ）を満たすことができないイベント、
前記ＵＥの現在アクセスしている第１アクセス技術ネットワークの負荷が第１予定閾値を超えるイベント、
前記ＵＥの現在アクセスしている第２アクセス技術ネットワークの負荷が第２予定閾値を超えるイベント、
前記ＵＥの現在アクセスしている第１アクセス技術ネットワーク又はアクセスしている第２アクセス技術ネットワークに過負荷が発生したイベント、
前記ＵＥの現在アクセスしている第１アクセス技術ネットワークの無線通信リンク品質が第３予定閾値より低いイベント、
前記ＵＥの現在アクセスしている第２アクセス技術ネットワークの無線通信リンク品質が第４予定閾値より低いイベント、及び
前記ＵＥが前記ＵＥの現在アクセスしている第１アクセス技術ネットワーク又はアクセスしている第２アクセス技術ネットワークとの接続を失うイベント、の中のいずれか又は任意の複数のイベントが発生する際に、前記第１アクセス技術ネットワークと前記第２アクセス技術ネットワークとのインターワーキング過程をトリガーすることと、を含む。
【００１７】
選択的に、前記第１アクセス技術ネットワークは３ＧＰＰアクセスネットワークであり、前記第２アクセス技術ネットワークはＷＬＡＮである。
【００１８】
選択的に、前記ＵＥが現在実行しているサービスのサービス品質（ＱｏＳ）を満たすことができないことは、
前記ＵＥの現在実行しているサービスのＱｏＳが持続的に満たすことができない時間が第１予定時間を超えることを含む。
【００１９】
選択的に、前記ＵＥの現在アクセスしている第１アクセス技術ネットワークの負荷が第１予定閾値を超えることは、
前記ＵＥの現在アクセスしている第１アクセス技術ネットワークの負荷の持続的に前記第１予定閾値を超える時間が第２予定時間に達することを含む。
【００２０】
選択的に、前記ＵＥの現在アクセスしている第２アクセス技術ネットワークの負荷が第２予定閾値を超えることは、
前記ＵＥの現在アクセスしている第２アクセス技術ネットワークの負荷の持続的に前記第２予定閾値を超える時間が第３予定時間に達することを含む。
【００２１】
選択的に、前記ＵＥの現在アクセスしている第１アクセス技術ネットワークの無線通信リンク品質が第３予定閾値より低いことは、
前記ＵＥの現在アクセスしている第１アクセス技術ネットワークの無線通信リンク品質の持続的に前記第３予定閾値より低い時間が第４予定時間に達することを含む。
【００２２】
選択的に、前記ＵＥの現在アクセスしている第２アクセス技術ネットワークの無線通信リンク品質が第４予定閾値より低いことは、
前記ＵＥの現在アクセスしている第２アクセス技術ネットワークの無線通信リンク品質の持続的に前記第４予定閾値より低い時間が第５予定時間に達することを含む。
【００２３】
選択的に、前記第１アクセス技術ネットワークと第２アクセス技術ネットワークとのインターワーキング決定エンティティが端末節電優先原則を採ることを判断することは、
前記ＵＥが電力消費好み指示（ＰＰＩ）をトリガーし且つ前記ＰＰＩが節電に傾向がある際に、前記第１アクセス技術ネットワークと第２アクセス技術ネットワークとのインターワーキング決定エンティティが前記ＰＰＩを取得することと、
前記第１アクセス技術ネットワークと第２アクセス技術ネットワークとのインターワーキング決定エンティティが前記ＰＰＩに基づき端末節電優先原則を採る必要があると判断することと、を含む。
【００２４】
選択的に、前記第１アクセス技術ネットワークと第２アクセス技術ネットワークとのインターワーキング決定エンティティが前記ＰＰＩを取得することは、
前記第１アクセス技術ネットワークと第２アクセス技術ネットワークとのインターワーキング決定エンティティが第１アクセス技術ネットワークノードにある際に、前記ＵＥにより前記ＰＰＩを前記第１アクセス技術ネットワークノードにおける前記第１アクセス技術ネットワークと第２アクセス技術ネットワークとのインターワーキング決定エンティティに送信することを含む。
【００２５】
選択的に、前記第１アクセス技術ネットワークと第２アクセス技術ネットワークとのインターワーキング決定エンティティが前記ＰＰＩを取得することは、
前記第１アクセス技術ネットワークと第２アクセス技術ネットワークとのインターワーキング決定エンティティがＵＥにある際に、前記ＵＥが自分で前記ＰＰＩを前記ＵＥにおける前記第１アクセス技術ネットワークと第２アクセス技術ネットワークとのインターワーキング決定エンティティに送信することを含む。
【００２６】
選択的に、前記第１アクセス技術ネットワークと第２アクセス技術ネットワークとのインターワーキング決定エンティティが端末節電優先原則を採ることを判断するのは、
前記ＵＥが節電優先属性を有する際に、前記第１アクセス技術ネットワークと第２アクセス技術ネットワークとのインターワーキング決定エンティティが前記ＵＥの節電優先属性を取得することと、
前記第１アクセス技術ネットワークと第２アクセス技術ネットワークとのインターワーキング決定エンティティが前記ＵＥの節電優先属性に基づき、端末節電優先原則を採る必要があると判断することと、を含む。
【００２７】
選択的に、前記第１アクセス技術ネットワークと第２アクセス技術ネットワークとのインターワーキング決定エンティティが前記ＵＥの節電優先属性を取得することは、
前記第１アクセス技術ネットワークと第２アクセス技術ネットワークとのインターワーキング決定エンティティが第１アクセス技術ネットワークノードにある際に、前記ＵＥが前記節電優先属性を前記第１アクセス技術ネットワークノードにおける前記第１アクセス技術ネットワークと第２アクセス技術ネットワークとのインターワーキング決定エンティティに送信することを含む。
【００２８】
選択的に、前記節電優先属性は、前記ＵＥの登録情報又は前記ＵＥのコンテキストに含まれ、前記第１アクセス技術ネットワークと第２アクセス技術ネットワークとのインターワーキング決定エンティティは前記ＵＥと前記第１アクセス技術ネットワークの接続過程によって前記節電優先属性を取得する。
【００２９】
選択的に、前記第１アクセス技術ネットワークと第２アクセス技術ネットワークとのインターワーキング決定エンティティが前記ＵＥの節電優先属性を取得することは、
前記第１アクセス技術ネットワークと第２アクセス技術ネットワークとのインターワーキング決定エンティティが前記ＵＥにある際に、前記ＵＥが自分で前記節電優先属性を前記ＵＥにおける前記第１アクセス技術ネットワークと第２アクセス技術ネットワークとのインターワーキング決定エンティティに送信することを含む。
【００３０】
選択的に、上記アクセス技術ネットワーク間のインターワーキング方法は、
第１アクセス技術ネットワークと第２アクセス技術ネットワークとのインターワーキング規則制定エンティティ、又は前記第１アクセス技術ネットワークと第２アクセス技術ネットワークとのインターワーキング決定エンティティが、インターワーキング過程におけるパラメータを設定し、前記パラメータが、第１予定時間、第２予定時間、第３予定時間、第４予定時間、第５予定時間、第１予定閾値、第２予定閾値、第３予定閾値、及び第４予定閾値を含むことを更に含む。
【００３１】
選択的に、上記アクセス技術ネットワーク間のインターワーキング方法は、
前記第１アクセス技術ネットワークと第２アクセス技術ネットワークとのインターワーキング規則制定エンティティ、又は前記第１アクセス技術ネットワークと第２アクセス技術ネットワークとのインターワーキング決定エンティティが前記第１アクセス技術ネットワークにある際に、前記パラメータが前記第１アクセス技術ネットワークにより前記ＵＥに送信されることを更に含む。
【００３２】
本発明の実施例はアクセス技術ネットワーク間のインターワーキング装置を更に提供し、該装置は、
端末節電優先原則を採ることを判断するように設定される判断モジュール、
ユーザ装置（ＵＥ）の現在実行しているサービスのサービス品質（ＱｏＳ）を満たすことができないイベント、
前記ＵＥの現在アクセスしている第１アクセス技術ネットワークの負荷が第１予定閾値を超えるイベント、
前記ＵＥの現在アクセスしている第２アクセス技術ネットワークの負荷が第２予定閾値を超えるイベント、
前記ＵＥの現在アクセスしている第１アクセス技術ネットワーク又はアクセスしている第２アクセス技術ネットワークに過負荷が発生したイベント、
前記ＵＥの現在アクセスしている第１アクセス技術ネットワークの無線通信リンク品質が第３予定閾値より低いイベント、
前記ＵＥの現在アクセスしている第２アクセス技術ネットワークの無線通信リンク品質が第４予定閾値より低いイベント、及び
前記ＵＥが前記ＵＥの現在アクセスしている第１アクセス技術ネットワーク又はアクセスしている第２アクセス技術ネットワークと接続を失うイベント、の中のいずれか又は任意の複数のイベントが発生する際に、前記第１アクセス技術ネットワークと前記第２アクセス技術ネットワークとのインターワーキング過程をトリガーするように設定されるトリガーモジュールを含む。
【００３３】
選択的に、前記第１アクセス技術ネットワークは３ＧＰＰアクセスネットワークであり、前記第２アクセス技術ネットワークはＷＬＡＮである。
【００３４】
選択的に、前記判断モジュールは、
前記ＵＥが電力消費好み指示（ＰＰＩ）をトリガーし且つ前記ＰＰＩが節電に傾向がある際に、前記ＰＰＩを取得するように設定される第１情報取得ユニット、
前記ＰＰＩに基づき端末節電優先原則を採る必要があると判断するように設定される第１判断ユニットを含む。
【００３５】
選択的に、前記判断モジュールは、
前記ＵＥが節電優先属性を有する際に、前記ＵＥの節電優先属性を取得するように設定される第１情報取得ユニット、
前記ＵＥの節電優先属性に基づき、端末節電優先原則を採る必要があると判断するように設定される第２判断ユニットを更に含む。
【００３６】
選択的に、該装置は、
インターワーキング過程におけるパラメータを設定し、前記パラメータが、第１予定時間、第２予定時間、第３予定時間、第４予定時間、第５予定時間、第１予定閾値、第２予定閾値、第３予定閾値、及び第４予定閾値を含むように設定される設定モジュールを更に含む。
【００３７】
選択的に、該装置は、
前記インターワーキング過程におけるパラメータを前記ＵＥに送信するように設定される設定情報送信モジュールを更に含む。
【発明の効果】
【００３８】
本発明の実施例はアクセス技術ネットワーク間のインターワーキング方法及び装置を提供し、第１アクセス技術ネットワークと第２アクセス技術ネットワークとのインターワーキング決定エンティティにより端末節電優先原則を採るかどうかを判断し、且つ端末節電優先原則を採ると判定する場合に、プリセットされたトリガーイベントが発生する時だけに、前記第１アクセス技術ネットワークと前記第２アクセス技術ネットワークとのインターワーキング過程をトリガーする。３ＧＰＰアクセスネットワークとＷＬＡＮとのインターワーキング過程においてＵＥの電力消耗に対する制御に適用でき、３ＧＰＰアクセスネットワークとＷＬＡＮとのインターワーキングの時のＵＥの電力消耗制御問題を解決する。
【図面の簡単な説明】
【００３９】
【図１】図１は、本発明の実施例１によるアクセス技術ネットワーク間のインターワーキング方法のフローチャートである。
【図２】図２は、本発明の実施例２によるアクセス技術ネットワーク間のインターワーキング方法のフローチャートである。
【図３】図３は、本発明の実施例３によるアクセス技術ネットワーク間のインターワーキング方法のフローチャートである。
【図４】図４は、本発明の実施例４によるアクセス技術ネットワーク間のインターワーキング方法のフローチャートである。
【図５】図５は、本発明の実施例５によるアクセス技術ネットワーク間のインターワーキング装置の構造模式図である。
【図６】図６は、図５における判断モジュール５０１の構造模式図である。
【発明を実施するための形態】
【００４０】
端末がＷＬＡＮネットワークを選択する時はＷＬＡＮ ＡＰの走査測定を実行する必要があり、且つサービスのＷＬＡＮへの遷移を決定する時はＷＬＡＮチャンネルを開く必要があるため、該行為の電力消費は大きく、且つ従来、３ＧＰＰネットワーク側がＷＬＡＮ discoveryとoffload規則を制定する際に、優先して考えられるのはユーザ感受（ユーザーエクスペリエンス）優先原則であり、端末の節電は、通常は、優先して考えられる指標ではない。
【００４１】
例えば、通信事業者（オペレータ）がよく用いるＷＬＡＮ offload規則は、端末がＷＬＡＮカバレッジ範囲に入る際に、ネットワーク側が３ＧＰＰアクセスネットワークとＷＬＡＮとのインターワーキング過程をトリガーして、ＷＬＡＮを測定走査するようにＵＥに要求し、ＵＥのスループットを向上させ、３ＧＰＰネットワークの負荷を軽減するように、ＷＬＡＮを見つけてサービスを遷移できるかどうかを決定することである。このような規則は、ＵＥが最初にＷＬＡＮを発見して且つできるだけ速く一部又は全部のサービスをＷＬＡＮに転移することを確保し、ユーザーエクスペリエンスを向上させ、３ＧＰＰネットワーク負荷を軽減するようにする。しかし、このような規則は、ＵＥの節電に対して非常に不利であり、多くの場合に、ＵＥがＷＬＡＮカバレッジ範囲に入るのは、ＵＥが、現在、伝送又は遷移する必要があるサービスがあることを代表せず、ＵＥがＷＬＡＮ検索を実行してひいてはＷＬＡＮと接続を確立することは、遷移する必要があるサービスがない場合に、その前のＷＬＡＮ検索の行動が浪費となり、ＵＥの余分な電力消耗を余分に増加させてしまう。特に未来のＷＬＡＮアクセスポイントが持続的に増加する場合に、上記規則はＵＥの電力消耗を更に増加することになる。
【００４２】
３ＧＰＰ ＲＡＮ２で１つのソリューションを通過し、ＵＥが節電傾向である際に、ＵＥの電力消費好み指示（Power Preference Indication、ＰＰＩ）をトリガーすることができ、ＰＰＩをサービスネットワークのアクセスネットワークノードに送信し、アクセスネットワークノードはこれに基づいてＵＥの不連続受信（Discontinuous Reception、ＤＲＸ）メカニズムの設定パラメータを調整することができる。その他のメカニズムに対して、まったく節電処理がない。
【００４３】
本発明の実施例はＵＥの節電需要に基づく適応型アクセス技術ネットワーク間のインターワーキング方法を提供し、これにより、ＵＥの３ＧＰＰアクセスネットワークとＷＬＡＮとのインターワーキングは、ユーザーエクスペリエンスと端末節電の間で最適な均衡を取得できる。
【００４４】
以下、図面を参照して、本発明の実施例を詳しく説明する。なお、矛盾が生じない場合には、本願における実施例及び実施例における特徴を互いに任意に組み合わせることができる。
【００４５】
本発明の実施例はＬＴＥシステムを例として説明し、ＵＭＴＳシステムに対して本発明の実施例による技術的解決手段の実施原理は同様である。
【００４６】
本発明の実施例において、ＵＥは同時にＬＴＥとＷＬＡＮのカバレッジ範囲にあり、且つＵＥとＬＴＥ基地局はいずれもＬＴＥとＷＬＡＮとのインターワーキング機能をサポートする。
【００４７】
ＵＥは、ある場合のために節電を要求するＰＰＩをトリガーし、例えば、
ＵＥの電気量が一定のレベルよりも低く、例えば、３０％よりも低い、
ＵＥが１つの電力消費消耗の大きいソフトウェア又はサービスを長時間実行し、電気量の降下速度が持続的に一定のレベルを超えている、
ＵＥが電源補充のない地域に入り、ユーザが主動に節電モードを選択した、
場合、ＵＥはトリガーしたＰＰＩをＬＴＥ基地局に送信する。
【００４８】
また、或いはＵＥそのものが節電優先のタイプに属し、例えば、ポータブル医療モニター、人事/資産トラッカーであり、このようなデバイスは長時間に働けることを要求され、節電優先のタイプに属する。該節電属性をＵＥ登録情報の内容又はＵＥコンテキストの内容として、ＵＥがＬＴＥネットワークと接続を確立する際にＬＴＥ基地局に送信する。
【００４９】
３ＧＰＰアクセスネットワークとＷＬＡＮとのインターワーキング決定エンティティの位置の異なりに基づき、以下、それぞれ背景技術に記載の３つの３ＧＰＰアクセスネットワークとＷＬＡＮとのインターワーキング手順ソリューションを前提条件として、実施例を記述する。
【００５０】
まず、図面を参照して、本発明の実施例１を説明する。
【００５１】
本発明の実施例において、背景技術におけるソリューション１をアプリケーションシーンとし、即ち
３ＧＰＰアクセスネットワークを第１アクセス技術ネットワークとして、ＷＬＡＮを第２アクセス技術ネットワークとする。３ＧＰＰアクセスネットワーク側は補助情報を提供し、端末は前記補助情報及びアクセスネットワーク以外のネットワーク構成要素（例えば、ＡＮＤＳＦ）に提供された規則に基づき、如何にサービスをＷＬＡＮ又は３ＧＰＰアクセスネットワークに遷移するかを決定する。
【００５２】
該アプリケーションシーンにおいて、３ＧＰＰアクセスネットワークとＷＬＡＮとのインターワーキング決定エンティティはＵＥにあり、
本発明の実施例において３ＧＰＰアクセスネットワークとＷＬＡＮとのインターワーキング手順は、図１に示すように、以下のステップ101〜103を含む。
【００５３】
ステップ101、ＵＥは節電傾向がある際に、以上のように、例えば、ＵＥは節電を要求するＰＰＩをトリガーし、又はＵＥが節電優先属性を有し、３ＧＰＰアクセスネットワークとＷＬＡＮとのインターワーキング決定エンティティは直接に該情報を取得する、
ステップ102、３ＧＰＰアクセスネットワークとＷＬＡＮとのインターワーキング決定エンティティは、節電傾向に基づき、端末節電優先原則を採って３ＧＰＰアクセスネットワークとWLANＷＬＡＮとのインターワーキングを行うことを決定する、
ステップ103、３ＧＰＰアクセスネットワークとＷＬＡＮとのインターワーキング決定エンティティは、３ＧＰＰアクセスネットワークとＷＬＡＮとのインターワーキング過程のトリガーイベント規則を制限し、その制限方式は、
ＵＥの現在実行しているサービスのＱｏｓを満たすことができなく、又は一定の第１予定時間を持続して満たすことができないイベント、
又は、ＵＥの現在アクセスしている３ＧＰＰアクセスネットワークの負荷が第１予定閾値を超え、又は一定の第２予定時間を持続して第１予定閾値を超えるイベント、
又は、ＵＥの現在アクセスしているＷＬＡＮの負荷が第２予定閾値を超え、又は一定の第３予定時間を持続して第２予定閾値を超えるイベント、
又は、ＵＥの現在アクセスしている３ＧＰＰアクセスネットワーク又はアクセスしているＷＬＡＮに過負荷が発生するイベント、
又は、ＵＥの現在アクセスしている３ＧＰＰアクセスネットワークの無線通信リンク品質が第３予定閾値より低く、又は一定の第４予定時間を持続して第３予定閾値より低いイベント、
又は、ＵＥの現在アクセスしているＷＬＡＮの無線通信リンク品質が第４予定閾値より低く、又は一定の第５予定時間を持続して第４予定閾値より低いイベント、
又は、ＵＥが現在アクセスしている３ＧＰＰアクセスネットワーク又はアクセスしているＷＬＡＮと接続を失うイベント、
といったイベントが発生する際だけに、３ＧＰＰアクセスネットワークとＷＬＡＮとのインターワーキング過程をトリガーすることを許可する。
【００５４】
上記の予定時間と予定閾値はいずれもＵＥにより自分で設定されることができる。
【００５５】
又は、第３予定閾値は、ＬＴＥシステムのシステム内測定イベントＡ２に対応した閾値を流用してもよい。
【００５６】
以下、図面を参照して、本発明の実施例２を説明する。
【００５７】
本発明の実施例は、背景技術におけるソリューション２をアプリケーションシーンとし、即ち
３ＧＰＰアクセスネットワークを第１アクセス技術ネットワークとして、ＷＬＡＮを第２アクセス技術ネットワークとする。３ＧＰＰアクセスネットワーク側は端末にアクセスネットワーク選択パラメータ（例えば、閾値、優先度、規則等）を提供し、端末はこれらのパラメータに基づいて如何にサービスをＷＬＡＮ又は３ＧＰＰアクセスネットワークに遷移するかを決定する。
【００５８】
本発明の実施例において、３ＧＰＰアクセスネットワークとＷＬＡＮとのインターワーキング決定エンティティは、３ＧＰＰアクセスネットワークとＷＬＡＮとのインターワーキング規則制定エンティティ及び３ＧＰＰアクセスネットワークとＷＬＡＮとのインターワーキング過程トリガーエンティティに分けられる。３ＧＰＰアクセスネットワークとＷＬＡＮとのインターワーキング規則制定エンティティは３ＧＰＰアクセスネットワーク側にあり、３ＧＰＰアクセスネットワークとＷＬＡＮとのインターワーキング過程トリガーエンティティはＵＥ側にある。
【００５９】
３ＧＰＰアクセスネットワーク側は、３ＧＰＰアクセスネットワークとＷＬＡＮとのインターワーキング規則を制定することを担当し、ＵＥは、３ＧＰＰアクセスネットワーク側の規則に基づいていつ３ＧＰＰアクセスネットワークとＷＬＡＮとのインターワーキング過程をトリガーするかを決定し、次に、自分の実際のＷＬＡＮ測定結果及び３ＧＰＰアクセスネットワーク側の規則を結合して、目標アクセスネットワーク（３ＧＰＰネットワーク又はＷＬＡＮ）及び遷移しようとするサービスを決定する。
【００６０】
本発明の実施例における３ＧＰＰアクセスネットワークとＷＬＡＮとのインターワーキング手順は、図２に示すように、以下のステップ201〜205を含む。
【００６１】
ステップ201、ＵＥは節電傾向が発生し、以上のように、例えば、ＵＥは節電を要求するＰＰＩをトリガーし、又はＵＥは節電優先属性を有する、
ステップ202、ＵＥは、該節電傾向情報をＲＡＮ側に送信し、３ＧＰＰアクセスネットワークとＷＬＡＮとのインターワーキング規則制定エンティティは、該情報を取得する、
ステップ203、３ＧＰＰアクセスネットワークとＷＬＡＮとのインターワーキング規則制定エンティティは、節電傾向に基づき、端末節電優先原則を採って３ＧＰＰアクセスネットワークとＷＬＡＮとのインターワーキングを行うことを決定する、
ステップ204、３ＧＰＰアクセスネットワークとＷＬＡＮとのインターワーキング規則制定エンティティは、３ＧＰＰアクセスネットワークとＷＬＡＮとのインターワーキング過程のトリガーイベント規則を制限し、制限方式は前の実施例と同様である、
ステップ205、ＲＡＮは制限された新しい３ＧＰＰアクセスネットワークとＷＬＡＮとのインターワーキング規則パラメータをＵＥに送信し、ＵＥにある３ＧＰＰアクセスネットワークとＷＬＡＮとのインターワーキング過程トリガーエンティティは、該新しいパラメータを取得する。
【００６２】
前記新しいパラメータの設定及び送信は、
前記第１予定時間、第２予定時間、第３予定時間、第４予定時間、及び第５予定時間が、３ＧＰＰアクセスネットワーク側により設定されてＵＥに送信され、又は標準によって事前に約束され、且つＵＥ側にタイマーを設定して、前記第１予定時間、第２予定時間、第３予定時間、第４予定時間及び第５予定時間を計時することを含む。
【００６３】
前記第１予定閾値は、３ＧＰＰアクセスネットワーク側により設定されてＵＥに送信され、又は標準によって事前に約束され、３ＧＰＰアクセスネットワークは、自分の負荷状況をＵＥに通知する。前記通知方法はブロードキャスト、ページング、専用シグナリングを使用することができる。
【００６４】
又は、前記第１予定閾値と第２予定時間は、３ＧＰＰアクセスネットワーク側により設定されるがＵＥに送信されなく、３ＧＰＰアクセスネットワークの負荷が第１予定閾値を超え、又は一定の第２予定時間を持続して第１予定閾値を超える場合に、３ＧＰＰアクセスネットワークは、ＵＥに該状況の発生を通知する。前記通知方法は、ブロードキャスト、ページング、専用シグナリングを使用することができる。
【００６５】
前記第２予定閾値は、３ＧＰＰアクセスネットワーク側により設定されてＵＥに送信され、又は標準によって事前に約束される。
【００６６】
前記第３予定閾値は、３ＧＰＰアクセスネットワーク側により設定されてＵＥに送信され、又は標準によって事前に約束され、又は同じシステム内測定イベントＡ２（ＬＴＥシステムを使用する場合）に対応した閾値を使用し、又は測定イベント１Ｆ又は２Ｄ（ＵＭＴＳシステムを使用する場合）に対応した閾値を使用する。
【００６７】
前記第４予定閾値は、３ＧＰＰアクセスネットワーク側により設定されてＵＥに送信され、又は標準によって事前に約束される。
【００６８】
以下、図面を参照して、本発明の実施例３を説明する。
【００６９】
本発明の実施例は背景技術におけるソリューション３をアプリケーションシーンとし、即ち
３ＧＰＰアクセスネットワークを第１アクセス技術ネットワークとして、ＷＬＡＮを第２アクセス技術ネットワークとする。ＲＲＣ接続状態（ＬＴＥシステム）又はＣＥＬＬ_ＤＣＨ状態（ＵＭＴＳシステム）にある端末に対して、３ＧＰＰアクセスネットワーク側は、端末が如何にサービスをＷＬＡＮ又は３ＧＰＰアクセスネットワークに遷移するかを決定し、且つ端末に通知する。ＲＲＣ ＩＤＬＥ（ＬＴＥシステム）又はＣＥＬＬ_ＰＣＨ又はＵＲＡ ＵＲＡ_ＰＣＨ（ＵＭＴＳシステム）状態にある端末に対して、背景技術におけるソリューション２（即ち本発明の実施例２のアプリケーションシーン）の方式を採用する。該ソリューションにおいて、３ＧＰＰアクセスネットワークとＷＬＡＮとのインターワーキング決定エンティティは、３ＧＰＰアクセスネットワーク側にあり、ＵＥ側に、３ＧＰＰアクセスネットワークとＷＬＡＮとのインターワーキング過程トリガーエンティティを有する（ＵＥがＲＲＣ ＩＤＬＥ（ＬＴＥシステム）又はＣＥＬＬ_ＰＣＨ又はＵＲＡ_ＰＣＨ（ＵＭＴＳシステム）状態にある際だけに起用する）。
【００７０】
本発明の実施例における３ＧＰＰアクセスネットワークとＷＬＡＮとのインターワーキング手順は、図３に示すように、以下のステップ301〜305を含む。
【００７１】
ステップ301、ＵＥは節電傾向が発生し、以上のように、例えばＵＥは節電を要求するＰＰＩをトリガーし、又はＵＥは節電優先属性を有する、
ステップ302、ＵＥは、該節電傾向情報をＲＡＮ側に送信し、３ＧＰＰアクセスネットワークとＷＬＡＮとのインターワーキング決定エンティティは、該情報を取得する、
ステップ303、３ＧＰＰアクセスネットワークとＷＬＡＮとのインターワーキング決定エンティティは、節電傾向に基づき、端末節電優先原則を採って３ＧＰＰアクセスネットワークとＷＬＡＮとのインターワーキングを行うことを決定する、
ステップ304、３ＧＰＰアクセスネットワークとＷＬＡＮとのインターワーキング決定エンティティは、３ＧＰＰアクセスネットワークとＷＬＡＮとのインターワーキング過程のトリガーイベント規則を制限し、制限方式は上記と同様である、
ステップ305、ＵＥはこの時３ＧＰＰ ＲＡＮと接続状態を保持する（ＬＴＥシステムに対して、ＵＥがＲＲＣ接続状態にあり、ＵＭＴＳシステムに対して、ＵＥがＣＥＬＬ_ＤＣＨ状態又はＣＥＬＬ_ＦＡＣＨ状態にある）と、ＲＡＮは、制限された新しい３ＧＰＰアクセスネットワークとＷＬＡＮとのインターワーキング規則パラメータをＵＥに送信し、ＵＥが、ＲＲＣ ＩＤＬＥ（ＬＴＥシステム）又はＣＥＬＬ_ＰＣＨ又はＵＲＡ_ＰＣＨ（ＵＭＴＳシステム）状態に入る際に、ＵＥにある３ＧＰＰアクセスネットワークとＷＬＡＮとのインターワーキング過程トリガーエンティティは、該新しいパラメータに基づき、３ＧＰＰアクセスネットワークとＷＬＡＮとのインターワーキングを行うことができる。
【００７２】
前記新しいパラメータの設定及び送信は、
前記第１予定時間が３ＧＰＰアクセスネットワーク側により設定されてＵＥに送信され、又は標準によって事前に約束されることと、
前記第１予定閾値と第２予定時間が３ＧＰＰアクセスネットワーク側により設定され、又は標準によって事前に約束されることと、
前記第２予定閾値と第３予定時間が３ＧＰＰアクセスネットワーク側により設定されてＵＥに送信され、又は標準によって事前に約束されることと、
前記第３予定閾値と第４予定時間が３ＧＰＰアクセスネットワーク側により設定されてＵＥに送信され、又は標準によって事前に約束され、又は同じシステム内測定イベントＡ２（ＬＴＥシステムを使用する場合）に対応した閾値を使用し、又は測定イベント１Ｆ又は２Ｄ（ＵＭＴＳシステムを使用する場合）に対応した閾値を使用することと、
前記第４予定閾値と第５予定時間が、３ＧＰＰアクセスネットワーク側により設定されてＵＥに送信され、又は標準によって事前に約束されることと、を含む。
【００７３】
以下、図面を参照して、本発明の実施例４を説明する。
【００７４】
本発明の実施例は、３ＧＰＰアクセスネットワークがＷＬＡＮとインターワーキングする方法を提供し、３ＧＰＰアクセスネットワークを第１アクセス技術ネットワークとして、ＷＬＡＮを第２アクセス技術ネットワークとする。該方法を使用して３ＧＰＰアクセスネットワークとＷＬＡＮとのインターワーキングを完成する手順は、図４に示すように、以下のステップ401〜402を含む。
【００７５】
ステップ401、第１アクセス技術ネットワークと第２アクセス技術ネットワークとのインターワーキング決定エンティティは、端末節電優先原則を採ることを判断する、
本ステップにおいて、ＰＰＩ又は節電優先属性の情報によって端末節電優先原則を採ることを判定することができる。
【００７６】
ＰＰＩを判断依拠とするソリューションは、以下のとおりである。
【００７７】
1、前記ＵＥがＰＰＩをトリガーし、且つ前記ＰＰＩは節電傾向がある際に、前記３ＧＰＰアクセスネットワークとＷＬＡＮとのインターワーキング決定エンティティは前記ＰＰＩを取得し、
前記３ＧＰＰアクセスネットワークとＷＬＡＮとのインターワーキング決定エンティティは、３ＧＰＰアクセスネットワークノードにある場合に、前記ＵＥにより、前記ＰＰＩを、前記３ＧＰＰアクセスネットワークノードにおける前記３ＧＰＰアクセスネットワークとＷＬＡＮとのインターワーキング決定エンティティに送信し、
前記３ＧＰＰアクセスネットワークとＷＬＡＮとのインターワーキング決定エンティティがＵＥにある際に、前記ＵＥは、自分で前記ＰＰＩを前記ＵＥにおける前記３ＧＰＰアクセスネットワークとＷＬＡＮとのインターワーキング決定エンティティに送信する。
【００７８】
2、前記３ＧＰＰアクセスネットワークとＷＬＡＮとのインターワーキング決定エンティティは、前記ＰＰＩに基づき、端末節電優先原則を採る必要があると判断する。
【００７９】
節電優先属性判断の依拠としてのソリューションは、以下のとおりである。
【００８０】
1、前記ＵＥが節電優先属性を有する（例えば節電優先の端末タイプである）場合に、前記３ＧＰＰアクセスネットワークとＷＬＡＮとのインターワーキング決定エンティティは、前記ＵＥの節電優先属性を取得し、
前記３ＧＰＰアクセスネットワークとＷＬＡＮとのインターワーキング決定エンティティは、３ＧＰＰアクセスネットワークノードにある際に、前記ＵＥは、前記節電優先属性を前記３ＧＰＰアクセスネットワークノードにおける、前記３ＧＰＰアクセスネットワークとＷＬＡＮとのインターワーキング決定エンティティに送信する。前記節電優先属性は、前記ＵＥの登録情報又は前記ＵＥのコンテキストに含まれ、前記３ＧＰＰアクセスネットワークとＷＬＡＮとのインターワーキング決定エンティティは、前記ＵＥと前記３ＧＰＰアクセスネットワークの接続過程によって前記節電優先属性を取得し、
前記３ＧＰＰアクセスネットワークとＷＬＡＮとのインターワーキング決定エンティティは、前記ＵＥにある際に、前記ＵＥは自己で前記節電優先属性を前記ＵＥにおける前記３ＧＰＰアクセスネットワークとＷＬＡＮとのインターワーキング決定エンティティに送信する。
【００８１】
2、前記３ＧＰＰアクセスネットワークとＷＬＡＮとのインターワーキング決定エンティティは、前記ＵＥの節電優先属性に基づき、端末節電優先原則を採る必要があると判断する。
【００８２】
ステップ402、プリセットされたトリガーイベントが発生する際だけに、前記第１技術アクセスネットワークと前記第２技術アクセスネットワークとのインターワーキング過程をトリガーするし、
該ステップにおいて、ＵＥ電力消耗を制御するために、
ＵＥの現在実行しているサービスのＱｏＳを満たすことができない（前記ＵＥの現在実行しているサービスのＱｏＳを持続的に満たすことができない時間が第１予定時間を超え、直ちにトリガーするように、該第１予定時間は非常に短いであってよく、一定の長い時間であってもよい）イベント、
前記ＵＥの現在アクセスしている３ＧＰＰアクセスネットワークの負荷が第１予定閾値を超える（前記ＵＥの現在アクセスしている３ＧＰＰアクセスネットワークの負荷の持続的に前記第１予定閾値を超える時間が第２予定時間に達し、直ちにトリガーするように、該第２予定時間が非常に短いであってよく、一定の長い時間であってもよい）イベント、
前記ＵＥの現在アクセスしているＷＬＡＮの負荷が第２予定閾値を超える（前記ＵＥの現在アクセスしているＷＬＡＮの負荷の持続的に前記第２予定閾値を超える時間が第３予定時間に達し、直ちにトリガーするように、該第３予定時間が非常に短いであってよく、一定の長い時間であってもよい）イベント、
前記ＵＥの現在アクセスしている３ＧＰＰアクセスネットワーク又はアクセスしているＷＬＡＮが過負荷を発生するイベント、
前記ＵＥの現在アクセスしている３ＧＰＰアクセスネットワークの無線通信リンク品質が第３予定閾値より低い（前記ＵＥの現在アクセスしている３ＧＰＰアクセスネットワークの無線通信リンク品質の持続的に前記第３予定閾値より低い時間が第４予定時間に達し、直ちにトリガーするように、該第４予定時間が非常に短いであってよく、一定の長い時間であってもよい）イベント、
前記ＵＥの現在アクセスしているＷＬＡＮの無線通信リンク品質が第４予定閾値より低い（前記ＵＥの現在アクセスしているＷＬＡＮの無線通信リンク品質の持続的に前記第４予定閾値より低い時間が第５予定時間に達する際に、直ちにトリガーするように、該第５予定時間が非常に短いであってよく、一定の長い時間であってもよい）イベント、又は、
前記ＵＥが該ＵＥの現在アクセスしている３ＧＰＰアクセスネットワーク又はアクセスしているＷＬＡＮと接続を失うイベント、というイベントの中のいずれか又は任意の複数が発生する際に、３ＧＰＰアクセスネットワークと前記ＷＬＡＮとのインターワーキング過程をトリガーする。
【００８３】
以下、本発明の実施例に関した各予定時間と予定閾値の設定を説明する。
【００８４】
1、背景技術におけるソリューション１に対応し、設定ソリューションは、以下のとおりであり、
前記第１予定時間、第２予定時間、第３予定時間、第４予定時間、及び第５予定時間は、前記ＵＥにより自己で設定され、又はアクセスネットワーク発見及び選択機能ユニット（ＡＮＤＳＦ）により設定され、又は標準によって事前に約束され、且つ前記ＵＥ側にタイマーを設定してそれぞれ前記第１予定時間、第２予定時間、第３予定時間、第４予定時間、及び第５予定時間を計時し、
前記第１予定閾値は、ＵＥにより自己で設定され、又は標準によって事前に約束され、又はＡＮＤＳＦにより設定され、且つ３ＧＰＰアクセスネットワークは、ブロードキャスト又はページング又は専用シグナリングの方式によって自分の負荷状況をＵＥに通知し、前記通知方法は、ブロードキャスト、ページング、専用シグナリングを使用することができ、
前記第２予定閾値は、ＵＥにより自己で設定され、又は標準によって事前に約束され、又はＡＮＤＳＦにより設定され、
前記第３予定閾値は、ＵＥにより自己で設定され、又は標準によって事前に約束され、又はＡＮＤＳＦにより設定され、又は同じＬＴＥシステム内測定イベントＡ２に対応した閾値を使用し、又は同じＵＭＴＳシステム内測定イベント１Ｆ又は２Ｄに対応した閾値を使用し、
前記第４予定閾値は、ＵＥにより自己で設定され、又は標準によって事前に約束され、又はＡＮＤＳＦにより設定される。
【００８５】
2、背景技術におけるソリューション２に対応して、設定ソリューションは、以下のとおりであり、
前記第１予定時間、第２予定時間、第３予定時間、第４予定時間、及び第５予定時間は、前記３ＧＰＰアクセスネットワーク側により設定されて前記ＵＥに送信され、又は標準によって事前に約束され、且つ前記ＵＥ側にタイマーを設定してそれぞれ前記第１予定時間、第２予定時間、第３予定時間、第４予定時間、及び第５予定時間を計時し、
前記第１予定閾値は、前記３ＧＰＰアクセスネットワーク側により設定されて前記ＵＥに送信され、又は標準によって事前に約束され、３ＧＰＰアクセスネットワークは、ブロードキャスト又はページング又は専用シグナリングの方式によって自分の負荷状況を前記ＵＥに通知し、
又は、前記第１予定閾値と前記第２予定時間は、３ＧＰＰアクセスネットワーク側により設定され、前記３ＧＰＰアクセスネットワークの負荷が前記第１予定閾値を超え又は持続的に前記第１予定閾値を超える時間は前記第２予定時間に達する際に、前記３ＧＰＰアクセスネットワークはブロードキャスト又はページング又は専用シグナリングの方式によって前記ＵＥに該イベントの発生を通知し、
前記第２予定閾値は、前記３ＧＰＰアクセスネットワーク側により設定されて前記ＵＥに送信され、又は標準によって事前に約束され、
前記第３予定閾値は、前記３ＧＰＰアクセスネットワーク側により設定されて前記ＵＥに送信され、又は標準によって事前に約束され、又は同じＬＴＥシステム内測定イベントＡ２に対応した閾値を使用し、又は同じＵＭＴＳシステム内測定イベント１Ｆ又は２Ｄに対応した閾値を使用し、
前記第４予定閾値は、前記３ＧＰＰアクセスネットワーク側により設定されて前記ＵＥに送信され、又は標準によって事前に約束される。
【００８６】
3、背景技術におけるソリューション３に対応し、設定ソリューションは、以下のとおりであり、
前記第１予定時間は、前記３ＧＰＰアクセスネットワーク側により設定されて前記ＵＥに送信され、又は標準によって事前に約束され、
前記第１予定閾値と第２予定時間は、３ＧＰＰアクセスネットワーク側により設定されて、又は標準によって事前に約束され、
前記第２予定閾値と第３予定時間は、前記３ＧＰＰアクセスネットワーク側により設定されて前記ＵＥに送信され、又は標準によって事前に約束され、
前記第３予定閾値と第４予定時間は、前記３ＧＰＰアクセスネットワーク側により設定されて前記ＵＥに送信され、又は標準によって事前に約束され、又は同じＬＴＥシステム内測定イベントＡ２に対応した閾値を使用し、又は同じＵＭＴＳシステム内測定イベント１Ｆ又は２Ｄに対応した閾値を使用し、
前記第４予定閾値と第５予定時間は、前記３ＧＰＰアクセスネットワーク側により設定されて前記ＵＥに送信され、又は標準によって事前に約束される。
【００８７】
３ＧＰＰアクセスネットワークとＷＬＡＮとのインターワーキング規則制定エンティティ、又は前記３ＧＰＰアクセスネットワークとＷＬＡＮとのインターワーキング決定エンティティは、インターワーキング過程におけるパラメータを設定し、前記パラメータは、第１予定時間、第２予定時間、第３予定時間、第４予定時間、第５予定時間、第１予定閾値、第１予定閾値、第３予定閾値、及び第４予定閾値を含む。
【００８８】
前記３ＧＰＰアクセスネットワークとＷＬＡＮとのインターワーキング規則制定エンティティ、又は前記３ＧＰＰアクセスネットワークとＷＬＡＮとのインターワーキング決定エンティティは、前記３ＧＰＰアクセスネットワークにある際に、前記パラメータは前記３ＧＰＰアクセスネットワークにより前記ＵＥに送信される。
【００８９】
以下、図面を参照して、本発明の実施例５を説明する。
【００９０】
本発明の実施例はアクセス技術ネットワーク間のインターワーキング装置を提供し、その構造は図５に示すように、
端末節電優先原則を採ることを判断するように設定される判断モジュール５０１、
ＵＥの現在実行しているサービスのサービス品質を満たすことができないイベント、
前記ＵＥの現在アクセスしている第１アクセス技術ネットワークの負荷が第１予定閾値を超えるイベント、
前記ＵＥの現在アクセスしている第２アクセス技術ネットワークの負荷が第２予定閾値を超えるイベント、
前記ＵＥの現在アクセスしている第１アクセス技術ネットワーク又はアクセスしている第２アクセス技術ネットワークに過負荷が発生するイベント、
前記ＵＥの現在アクセスしている第１アクセス技術ネットワークの無線通信リンク品質が第３予定閾値より低いイベント、
前記ＵＥの現在アクセスしている第２アクセス技術ネットワークの無線通信リンク品質が第４予定閾値より低いイベント、
前記ＵＥが該ＵＥの現在アクセスしている第１アクセス技術ネットワーク又はアクセスしている第２アクセス技術ネットワークと接続を失うイベント、というイベントの中のいずれか又は任意の複数が発生する際に、前記第１アクセス技術ネットワークと前記第２アクセス技術ネットワークとのインターワーキング過程をトリガーするように設定されるトリガーモジュール５０２を含む。
【００９１】
選択的に、前記判断モジュール５０１の構造は、図６に示すように、
前記ＵＥが電力消費好み指示（ＰＰＩ）をトリガーし、且つ前記ＰＰＩが節電に傾向がある際に、前記ＰＰＩを取得するように設定される第１情報取得ユニット５０１１、
前記ＰＰＩに基づき端末節電優先原則を採る必要があると判断するように設定される第１判断ユニット５０１２、を含む。
【００９２】
選択的に、前記判断モジュール５０１は、
前記ＵＥが節電優先属性を有する際に、前記ＵＥの節電優先属性を取得するように設定される第１情報取得ユニット５０１３、
前記ＵＥの節電優先属性に基づき、端末節電優先原則を採る必要があると判断するように設定される第２判断ユニット５０１４、を更に含む。
【００９３】
選択的に、該装置は、
インターワーキング過程におけるパラメータを設定し、前記パラメータが第１予定時間、第２予定時間、第３予定時間、第４予定時間、第５予定時間、第１予定閾値、第２予定閾値、第３予定閾値、及び第４予定閾値を含むように設定される設定モジュール５０３、を更に含む。
【００９４】
選択的に、該装置は、
前記インターワーキング過程におけるパラメータを前記ＵＥに送信するように設定される設定情報送信モジュール５０４、を更に含む。
【００９５】
前記第１技術アクセスネットワークは３ＧＰＰアクセスネットワークであり、前記第２技術アクセスネットワークはＷＬＡＮである。上記技術アクセス間のインターワーキング装置は３ＧＰＰアクセスネットワーク又はＵＥに集積でき、対応の機能を完成する。
【００９６】
本発明の実施例は、アクセス技術ネットワーク間のインターワーキング方法及び装置を提供し、３ＧＰＰアクセスネットワークとＷＬＡＮとのインターワーキング決定エンティティにより、端末節電優先原則を採る必要があるかどうかを判断し、端末節電優先原則を採ると判定する際に、プリセットされたトリガーイベントが発生する際だけに、３ＧＰＰアクセスネットワークとＷＬＡＮとのインターワーキングトリガーエンティティは、前記３ＧＰＰアクセスネットワークと前記ＷＬＡＮとのインターワーキング過程をトリガーする。３ＧＰＰアクセスネットワークとＷＬＡＮとのインターワーキング過程において、ＵＥ電力消耗に対する制御を実現し、３ＧＰＰアクセスネットワークとＷＬＡＮとのインターワーキングの際のＵＥの電力消耗制御問題を解決する。
【００９７】
当業者は、上記実施例の全部又は一部のステップをコンピュータプログラム手順によって実現でき、前記コンピュータプログラムはコンピュータが読み取り可能な記憶媒体に記憶しておくことができ、前記コンピュータプログラムは対応のハードウェアプラットフォーム（例えばシステム、デバイス、装置、部品等）において実行でき、実行する際に、方法実施例のステップの一つ又はその組み合わせを含むことが理解できる。
【００９８】
選択的に、上記実施例の全部又は一部のステップも集積回路によって実現でき、これらのステップはそれぞれ１つずつの集積回路モジュールに製造されることができ、又はそれらの複数のモジュール或いはステップを単一の集積回路モジュールに製造して実現することもできる。このように、本発明は、いずれか特定のハードウェア及びソフトウェアの結合に制限されない。
【００９９】
上記実施例における各装置/機能モジュール/機能ユニットを汎用の計算装置によって実現でき、単一の計算装置に集中でき、複数の計算装置からなるネットワークに分布してもよい。
【０１００】
上記実施例における各装置/機能モジュール/機能ユニットをソフトウェア機能モジュールの形式で実現して独立な製品として販売又は使用する場合に、１つのコンピュータ読み取り可能な記憶媒体に記憶できる。上記に言及したコンピュータ読み取り可能な記憶媒体は、読み取り専用メモリ、ディスク、又はコンパクトディスク等であってよい。
【０１０１】
当業者の誰でも、本発明が開示した技術範囲内に、容易に考えた変化又は切り替えは、いずれも本発明の保護範囲に含まれる。このため、本発明の保護範囲は請求項に記載の保護範囲を基準とする。
【産業上の利用可能性】
【０１０２】
本発明の実施例は、３ＧＰＰアクセスネットワークとＷＬＡＮとのインターワーキング過程におけるＵＥの電力消耗に対する制御に適用でき、３ＧＰＰアクセスネットワークとＷＬＡＮとのインターワーキングの際のＵＥの電力消耗制御問題を解決する。
【図１】
2016521511.tif 000003
【図２】
2016521511.tif 000004
【図３】
2016521511.tif 000005
【図４】
2016521511.tif 000006
【図５】
2016521511.tif 000007
【図６】
2016521511.tif 000008
【手続補正書】
【提出日】平成27年12月18日(2015.12.18)
【手続補正１】
【補正対象書類名】特許請求の範囲
【補正対象項目名】全文
【補正方法】変更
【補正の内容】
【特許請求の範囲】
【請求項１】
アクセス技術ネットワーク間のインターワーキング方法であって、
第１アクセス技術ネットワークと第２アクセス技術ネットワークとのインターワーキング決定エンティティが端末節電優先原則を採ることを判断することと、
ユーザ装置（ＵＥ）の現在実行しているサービスのサービス品質（ＱｏＳ）を満たすことができないイベント、
前記ＵＥの現在アクセスしている第１アクセス技術ネットワークの負荷が第１予定閾値を超えるイベント、
前記ＵＥの現在アクセスしている第２アクセス技術ネットワークの負荷が第２予定閾値を超えるイベント、
前記ＵＥの現在アクセスしている第１アクセス技術ネットワーク又はアクセスしている第２アクセス技術ネットワークに過負荷が発生したイベント、
前記ＵＥの現在アクセスしている第１アクセス技術ネットワークの無線通信リンク品質が第３予定閾値より低いイベント、
前記ＵＥの現在アクセスしている第２アクセス技術ネットワークの無線通信リンク品質が第４予定閾値より低いイベント、及び
前記ＵＥが前記ＵＥの現在アクセスしている第１アクセス技術ネットワーク又はアクセスしている第２アクセス技術ネットワークとの接続を失うイベント、の中のいずれかの１つ又は任意の複数のイベントが発生する際に、前記第１アクセス技術ネットワークと前記第２アクセス技術ネットワークとのインターワーキング過程をトリガーすることと、を含むアクセス技術ネットワーク間のインターワーキング方法。
【請求項２】
前記第１アクセス技術ネットワークは、第３世代パートナープログラム（３ＧＰＰ）アクセスネットワークであり、前記第２アクセス技術ネットワークは、無線ＬＡＮ（ＷＬＡＮ）である請求項１に記載のアクセス技術ネットワーク間のインターワーキング方法。
【請求項３】
前記ＵＥの現在実行しているサービスのサービス品質（ＱｏＳ）を満たすことができないことは、
前記ＵＥの現在実行しているサービスのＱｏＳを持続的に満たすことができない時間が第１予定時間を超えることを含む請求項１に記載のアクセス技術ネットワーク間のインターワーキング方法。
【請求項４】
前記ＵＥの現在アクセスしている第１アクセス技術ネットワークの負荷が第１予定閾値を超えることは、
前記ＵＥの現在アクセスしている第１アクセス技術ネットワークの負荷の持続的に前記第１予定閾値を超える時間が第２予定時間に達することを含み、
又は
前記ＵＥの現在アクセスしている第２アクセス技術ネットワークの負荷が第２予定閾値を超えることは、
前記ＵＥの現在アクセスしている第２アクセス技術ネットワークの負荷の持続的に前記第２予定閾値を超える時間が第３予定時間に達することを含み、
又は
前記ＵＥの現在アクセスしている第１アクセス技術ネットワークの無線通信リンク品質が第３予定閾値より低いことは、
前記ＵＥの現在アクセスしている第１アクセス技術ネットワークの無線通信リンク品質の持続的に前記第３予定閾値より低い時間が第４予定時間に達することを含み、
又は
前記ＵＥの現在アクセスしている第２アクセス技術ネットワークの無線通信リンク品質が第４予定閾値より低いことは、
前記ＵＥの現在アクセスしている第２アクセス技術ネットワークの無線通信リンク品質の持続的に前記第４予定閾値より低い時間が第５予定時間に達することを含む請求項１に記載のアクセス技術ネットワーク間のインターワーキング方法。
【請求項５】
前記第１アクセス技術ネットワークと第２アクセス技術ネットワークとのインターワーキング決定エンティティが端末節電優先原則を採ることを判断することは、
前記ＵＥが電力消費好み指示（ＰＰＩ）をトリガーし且つ前記ＰＰＩが節電傾向がある際に、前記第１アクセス技術ネットワークと第２アクセス技術ネットワークとのインターワーキング決定エンティティが前記ＰＰＩを取得することと、
前記第１アクセス技術ネットワークと第２アクセス技術ネットワークとのインターワーキング決定エンティティが前記ＰＰＩに基づき端末節電優先原則を採る必要があると判断することと、を含む請求項１に記載のアクセス技術ネットワーク間のインターワーキング方法。
【請求項６】
前記第１アクセス技術ネットワークと第２アクセス技術ネットワークとのインターワーキング決定エンティティが前記ＰＰＩを取得することは、
前記第１アクセス技術ネットワークと第２アクセス技術ネットワークとのインターワーキング決定エンティティが第１アクセス技術ネットワークノードにある際に、前記ＵＥにより前記ＰＰＩを前記第１アクセス技術ネットワークノードにおける前記第１アクセス技術ネットワークと第２アクセス技術ネットワークとのインターワーキング決定エンティティに送信することを含み、
又は
前記第１アクセス技術ネットワークと第２アクセス技術ネットワークとのインターワーキング決定エンティティが前記ＰＰＩを取得することは、
前記第１アクセス技術ネットワークと第２アクセス技術ネットワークとのインターワーキング決定エンティティがＵＥにある際に、前記ＵＥが自分で前記ＰＰＩを前記ＵＥにおける前記第１アクセス技術ネットワークと第２アクセス技術ネットワークとのインターワーキング決定エンティティに送信することを含む請求項５に記載のアクセス技術ネットワーク間のインターワーキング方法。
【請求項７】
前記第１アクセス技術ネットワークと第２アクセス技術ネットワークとのインターワーキング決定エンティティが端末節電優先原則を採ることを判断することは、
前記ＵＥが節電優先属性を有する際に、前記第１アクセス技術ネットワークと第２アクセス技術ネットワークとのインターワーキング決定エンティティが前記ＵＥの節電優先属性を取得することと、
前記第１アクセス技術ネットワークと第２アクセス技術ネットワークとのインターワーキング決定エンティティが前記ＵＥの節電優先属性に基づき、端末節電優先原則を採る必要があると判断することと、を含む請求項１に記載のアクセス技術ネットワーク間のインターワーキング方法。
【請求項８】
前記第１アクセス技術ネットワークと第２アクセス技術ネットワークとのインターワーキング決定エンティティが前記ＵＥの節電優先属性を取得することは、
前記第１アクセス技術ネットワークと第２アクセス技術ネットワークとのインターワーキング決定エンティティが第１アクセス技術ネットワークノードにある際に、前記ＵＥが前記節電優先属性を前記第１アクセス技術ネットワークノードにおける前記第１アクセス技術ネットワークと第２アクセス技術ネットワークとのインターワーキング決定エンティティに送信することを含み、
好ましくは、前記節電優先属性は前記ＵＥの登録情報又は前記ＵＥのコンテキストに含まれ、前記第１アクセス技術ネットワークと第２アクセス技術ネットワークとのインターワーキング決定エンティティは前記ＵＥと前記第１アクセス技術ネットワークの接続過程によって前記節電優先属性を取得する請求項７に記載のアクセス技術ネットワーク間のインターワーキング方法。
【請求項９】
前記第１アクセス技術ネットワークと第２アクセス技術ネットワークとのインターワーキング決定エンティティが前記ＵＥの節電優先属性を取得することは、
前記第１アクセス技術ネットワークと第２アクセス技術ネットワークとのインターワーキング決定エンティティが前記ＵＥにある際に、前記ＵＥが自分で前記節電優先属性を前記ＵＥにおける前記第１アクセス技術ネットワークと第２アクセス技術ネットワークとのインターワーキング決定エンティティに送信することを含む請求項７に記載のアクセス技術ネットワーク間のインターワーキング方法。
【請求項１０】
第１アクセス技術ネットワークと第２アクセス技術ネットワークとのインターワーキング規則制定エンティティ又は前記第１アクセス技術ネットワークと第２アクセス技術ネットワークとのインターワーキング決定エンティティがインターワーキング過程におけるパラメータを設定し、前記パラメータが第１予定時間、第２予定時間、第３予定時間、第４予定時間、第５予定時間、第１予定閾値、第２予定閾値、第３予定閾値、及び第４予定閾値を含むことを更に含み、
好ましくは、前記第１アクセス技術ネットワークと第２アクセス技術ネットワークとのインターワーキング規則制定エンティティ又は前記第１アクセス技術ネットワークと第２アクセス技術ネットワークとのインターワーキング決定エンティティが前記第１アクセス技術ネットワークにある際に、前記パラメータが前記第１アクセス技術ネットワークにより前記ＵＥに送信されることを更に含む請求項１に記載のアクセス技術ネットワーク間のインターワーキング方法。
【請求項１１】
アクセス技術ネットワーク間のインターワーキング装置であって、
端末節電優先原則を採ることを判断するように設定される判断モジュール、
ユーザ装置（ＵＥ）の現在実行しているサービスのサービス品質（ＱｏＳ）を満たすことができないイベント、
前記ＵＥの現在アクセスしている第１アクセス技術ネットワークの負荷が第１予定閾値を超えるイベント、
前記ＵＥの現在アクセスしている第２アクセス技術ネットワークの負荷が第２予定閾値を超えるイベント、
前記ＵＥの現在アクセスしている第１アクセス技術ネットワーク又はアクセスしている第２アクセス技術ネットワークに過負荷が発生したイベント、
前記ＵＥの現在アクセスしている第１アクセス技術ネットワークの無線通信リンク品質が第３予定閾値より低いイベント、
前記ＵＥの現在アクセスしている第２アクセス技術ネットワークの無線通信リンク品質が第４予定閾値より低いイベント、及び
前記ＵＥが前記ＵＥの現在アクセスしている第１アクセス技術ネットワーク又はアクセスしている第２アクセス技術ネットワークと接続を失うイベント、の中のいずれかの１つ又は任意の複数のイベントが発生する際だけに、前記第１アクセス技術ネットワークと前記第２アクセス技術ネットワークとのインターワーキング過程をトリガーするように設定されるトリガーモジュールを含むアクセス技術ネットワーク間のインターワーキング装置。
【請求項１２】
前記第１アクセス技術ネットワークは第３世代パートナープログラム（３ＧＰＰ）アクセスネットワークであり、前記第２アクセス技術ネットワークは無線ＬＡＮ（ＷＬＡＮ）である請求項１１に記載のアクセス技術ネットワーク間のインターワーキング装置。
【請求項１３】
前記判断モジュールは、
前記ＵＥが電力消費好み指示（ＰＰＩ）をトリガーし且つ前記ＰＰＩが節電傾向がある際に、前記ＰＰＩを取得するように設定される第１情報取得ユニット、
前記ＰＰＩに基づき端末節電優先原則を採る必要があると判断するように設定される第１判断ユニット、を含む請求項１１に記載のアクセス技術ネットワーク間のインターワーキング装置。
【請求項１４】
前記判断モジュールは、
前記ＵＥが節電優先属性を有する際に、前記ＵＥの節電優先属性を取得するように設定される第２情報取得ユニット、
前記ＵＥの節電優先属性に基づき、端末節電優先原則を採る必要があると判断するように設定される第２判断ユニット、を更に含む請求項１３に記載のアクセス技術ネットワーク間のインターワーキング装置。
【請求項１５】
インターワーキング過程におけるパラメータを設定し、前記パラメータが第１予定時間、第２予定時間、第３予定時間、第４予定時間、第５予定時間、第１予定閾値、第２予定閾値、第３予定閾値、及び第４予定閾値を含むように設定される設定モジュールを更に含み、
好ましくは、前記インターワーキング過程におけるパラメータを前記ＵＥに送信するように設定される設定情報送信モジュールを更に含む請求項１４に記載のアクセス技術ネットワーク間のインターワーキング装置。
【手続補正２】
【補正対象書類名】明細書
【補正対象項目名】００３５
【補正方法】変更
【補正の内容】
【００３５】
選択的に、前記判断モジュールは、
前記ＵＥが節電優先属性を有する際に、前記ＵＥの節電優先属性を取得するように設定される第２情報取得ユニット、
前記ＵＥの節電優先属性に基づき、端末節電優先原則を採る必要があると判断するように設定される第２判断ユニットを更に含む。
【手続補正３】
【補正対象書類名】明細書
【補正対象項目名】００９２
【補正方法】変更
【補正の内容】
【００９２】
選択的に、前記判断モジュール５０１は、
前記ＵＥが節電優先属性を有する際に、前記ＵＥの節電優先属性を取得するように設定される第２情報取得ユニット５０１３、
前記ＵＥの節電優先属性に基づき、端末節電優先原則を採る必要があると判断するように設定される第２判断ユニット５０１４、を更に含む。
【国際調査報告】
2016521511.tif 000009
2016521511.tif 000010
2016521511.tif 000011
2016521511.tif 000012